(57)【要約】【課題】身近な場所でいつでも手軽に、遠赤外線による温熱効果が期待される岩盤浴と同様に身体を暖めることができ、且つ、簡易な構成で比較的安価に製造できる温熱装置を提供する。【解決手段】温熱装置１は、内部に流体を流通させる流通管３と、流通管３を保持可能な凹部３０が形成された保持体２０と、保持体２０の凹部３０に少なくとも一部が嵌め込まれ、加熱により遠赤外線を放射する鉱物１３及びセラミックスの少なくとも一つの粉末をマトリックス材１２に混合して所定形状に形成された遠赤外線放射体１０と、遠赤外線放射体１０を加熱するために流通管３内を流通させられる熱媒体と、該熱媒体を収容するタンクと、該タンクに収容された熱媒体を加熱する電気ヒータと、該電気ヒータによって加熱された熱媒体を流通管３内に循環させるポンプとを具備する。【選択図】図２
0003118765.tif 000002
【実用新案登録請求の範囲】
【請求項１】
内部に流体を流通させる流通管と、
該流通管を保持可能な凹部が形成された保持体と、
該保持体の前記凹部に少なくとも一部が嵌め込まれ、加熱により遠赤外線を放射する鉱物及びセラミックスの少なくとも一つからなる粉末を、マトリックス材に混合し所定形状に形成された遠赤外線放射体と、
該遠赤外線放射体を加熱するために前記流通管内を流通させられる熱媒体と、
該熱媒体を収容するタンクと、
該タンクに収容された前記熱媒体を加熱する電気ヒータと、
該電気ヒータによって加熱された前記熱媒体を前記流通管内に循環させるポンプと
を具備することを特徴とする温熱装置。
【請求項２】
前記熱媒体はオイルであることを特徴とする請求項１に記載の温熱装置。
【請求項３】
前記電気ヒータによる加熱を制御し、前記熱媒体の温度を調節する温度制御手段を更に具備することを特徴とする請求項１または請求項２に記載の温熱装置。
【請求項４】
前記保持体は、椅子型またはベッド型に形成されることを特徴とする請求項１乃至請求項３の何れか一つに記載の温熱装置。
【考案の詳細な説明】
【技術分野】
【０００１】
本考案は、温熱装置に関するものであり、特に、加熱された物質から放射される遠赤外線により人体を暖める温熱装置に関するものである。
【背景技術】
【０００２】
従来より、健康に高い関心を持つ人々の間で、いわゆる岩盤浴が行われている。これは、暖かい岩盤の上に横臥したり座したりすることにより、身体を暖め、血行を促進し新陳代謝を高めようというものである。例えば、温泉や風呂で湯水に浸かる場合と比べ、水圧による影響を受けないことから、心臓などに疾患のある人や高齢者にも適すると言われている。また、遠赤外線の振動数は人体を含む有機物質を構成する分子の固有振動数と近いため、遠赤外線を受けると分子振動の共鳴による増幅によって体温が上昇する効果がある。ここで、物質が放射する遠赤外線の量は、物質の種類にも依存することから、遠赤外線の放射率の高い鉱物を含むと言われる岩盤がある岩盤浴場は、遠赤外線による温熱効果が高いと期待され人気を集めている。
【考案の開示】
【考案が解決しようとする課題】
【０００３】
しかしながら、岩盤浴をするためには、温泉場など地熱によって加熱された岩盤が地表に露出している特定の場所まで、出向かなければならないという問題があった。特に、病人や高齢者の場合は、外出が困難である人が多いため、岩盤浴をしたいと思ってもなかなか出かけることができなかった。また、外出に不自由しない人であっても、岩盤浴場に頻繁に出かけることは難しいこともあった。更に、自宅に岩石を搬入し、岩盤浴室を作ることも行われているが、このような施設の施工には極めて費用がかかるという問題があった。そのため、岩盤浴場に出かけなくても、自宅などの身近な場所で、経済的な負担を抑えて、岩盤浴と同じように身体を暖めることができる手段が望まれていた。
【０００４】
そこで、本考案は上記の実情に鑑み、身近な場所でいつでも手軽に、遠赤外線による温熱効果が期待される岩盤浴と同様に身体を暖めることができ、且つ、簡易な構成で比較的安価に製造できる温熱装置の提供を課題とするものである。
【課題を解決するための手段】
【０００５】
本考案に係る温熱マットは、「内部に流体を流通させる流通管と、該流通管を保持可能な凹部が形成された保持体と、該保持体の前記凹部に少なくとも一部が嵌め込まれ、加熱により遠赤外線を放射する鉱物及びセラミックスの少なくとも一つからなる粉末を、マトリックス材に混合し所定形状に形成された遠赤外線放射体と、該遠赤外線放射体を加熱するために前記流通管内を流通させられる熱媒体と、該熱媒体を収容するタンクと、該タンクに収容された前記熱媒体を加熱する電気ヒータと、該電気ヒータによって加熱された前記熱媒体を前記流通管内に循環させるポンプとを」具備して構成されている。
【０００６】
遠赤外線放射体の構成として「鉱物及びセラミックスの少なくとも一つ」を用いるのは、金属などに比べて遠赤外線の波長領域で高い放射率を示すことによる。例えば、遠赤外線の放射率が高くマイナスイオンを多く発生すると言われ、岩盤浴の愛好家に人気の高いホロストーン（登録商標）、トルマリン、麦飯石等の鉱物、或いは粘度鉱物やアルミナ、シリカ、チタニア等の金属酸化物を原料としたセラミックスを使用することができる。これらの粉末の粒径は適宜設定できるが、大径となれば後述のマトリックス材との混合が不均一となり易く、小径となれば高価となるため、例えば２００〜５００メッシュとすることが望ましい。また、後述のマトリックス材に対する割合は、多過ぎればマトリックス材に担持され難く、少な過ぎれば遠赤外線の放射量が減じることから、例えば１０〜４０％の範囲に設定することが望ましい。なお、鉱物及びセラミックスは、単一種類の粉末を使用することも、複数種類の粉末を混合して使用することもできる。
【０００７】
「流通管」は、流体の種類に応じた耐食性、加熱温度に応じた耐熱性等を考慮して適宜の材質を設定でき、スチール管、ステンレス管、銅管等を使用することができる。なお、流通管を蛇行させ、或いは複数本を並設して連通させることにより、被加熱体である遠赤外線放射体を面的に加熱することができる。
【０００８】
「保持体」は、流通管及び遠赤外線放射体を保持し、遠赤外線放射体上に使用者が身体の少なくとも一部を載置させた場合には、更に人体をも保持する。例えば、椅子型、ベッド型、足置き型、座布団型、マット型に形成することができる。また、遠赤外線放射体が「保持体の凹部に少なくとも一部が嵌め込まれる」構成は、例えば、凹部の底面の断面を後述の遠赤外線放射体の断面形状とほぼ一致させることにより、遠赤外線放射体の少なくとも底面側が凹部にぴったりと嵌め込まれるものとなる。或いは、遠赤外線放射体を弾性を有するものとし、遠赤外線放射体より断面積が小である凹部に、弾性を利用して押し込むことにより、嵌め込まれた遠赤外線放射体がずれ難いものとなる。或いは、凹部の底面積を遠赤外線放射体より大とすることにより、凹部に嵌め込まれる遠赤外線放射体の着脱が容易なものとなる。なお、凹部に少なくとも一部が嵌め込まれた遠赤外線放射体は、表面の高さを保持体の表面とほぼ一致させることも、保持体の表面に対して凸または凹とすることもできる。
【０００９】
「マトリックス材」は、鉱物やセラミックスの粉末と混合が可能で、混合後に所定の形状に形成可能な材料であれば特に限定されず、ゴムや樹脂などの有機材料、セメントや陶磁器素地などの無機材料を例示することができる。また、遠赤外線放射体の「所定形状」は、矩形、円形のシート状や板状形状を例示することができる。なお、マトリックス材としてのゴムや樹脂を発泡させ、発泡体によって「所定形状」を形成することもできる。
【００１０】
「熱媒体」は、鉱物油や動植物油等のオイル、水を例示することができる。また、「電気ヒータによる加熱」は、熱媒体を電気ヒータで直接的に加熱する構成とすることも、タンクに巻回等された電気ヒータによってタンクごと加熱する構成とすることもできる。
【００１１】
従って、本考案によれば、電気ヒータによって加熱された熱媒体がポンプによって送られて流通管内を流通し、流通管と共に凹部に保持される遠赤外線放射体が、流通管を介して熱媒体に加熱される。これにより、加熱された遠赤外線放射体から遠赤外線が放射され、共鳴による分子振動の活発化によって体温を上昇させることができる。この遠赤外線による人体の加熱は、中間に媒体を必要としない放射伝熱であるため、加熱体である遠赤外線放射体と被加熱体である人体との間に温度差がある限り伝熱状態が維持され、熱風や熱水等の媒体を介して加熱する場合に比べ、効率よく身体を暖めることができる。また、加熱された遠赤外線放射体からの伝導伝熱によっても身体を暖めることができる。そして、体温の上昇により、血行が促進され、新陳代謝や自然治癒力が高められることが期待される。すなわち、自宅などの身近な場所で、いつでも手軽に、岩盤浴と同様の遠赤外線による温熱効果で身体を暖めることができる。加えて、鉱物等の粉末、流通管、電気ヒータ等による簡易な構成であるため、比較的安価な一般普及型の温熱装置となる。
【００１２】
また、鉱物やセラミックスは、粉末の状態でマトリックス材と混合されるため、遠赤外線放射体中に均一に分散させることが可能となる。これにより、遠赤外線放射体における遠赤外線の放射特性にばらつきが生じ難く、遠赤外線放射体の全面にわたり均一な温熱効果を発揮可能なものとなる。
【００１３】
更に、使用者の身体に触れる部分である遠赤外線放射体を加熱する熱媒体が流体であり、遠赤外線放射体自体を電気的に加熱する構成ではないため、漏電による不具合を生じる恐れなく使用することができる。加えて、電流が流れることによって発生する電磁波が、人体に及ぼす悪影響や、マイナスイオンによるリラクゼーション効果を低減させる影響を心配する使用者にとっても、安心して使用できる温熱装置となる。
【００１４】
更に、本考案に係る温熱装置は、「前記熱媒体はオイルである」ものとしてもよい。
【００１５】
従って、本考案によれば、熱媒体がオイルであることにより、耐熱性、機械的強度、配管のし易さ、価格等において適当である金属製の流通管を使用しても、錆びや腐食の生じ難いものとなる。加えて、オイルは水に比べて劣化し難いため、交換の手間や経費を削減して長期間使用することができる。また、オイルの比熱は小さいため、所定の温度まで加熱し易く、所望の設定温度への応答の良いものとなる。
【００１６】
また、本考案の温熱装置は、上記構成に加え、「前記電気ヒータによる加熱を制御し、前記熱媒体の温度を調節する温度制御手段を」具備するものとすることができる。
【００１７】
「温度制御手段」は、加熱媒体の温度を適宜検知し、その結果により電気ヒータによる加熱を制御し、例えば３５〜４５℃の設定温度に保持できるものであればよく、サーミスタ、熱電対、測温抵抗体等の温度センサ、測定温度と設定温度とを対比し、電気ヒータによる加熱を間歇化し、或いは電流を連続的に増減させるコントローラ等の公知の手段を組合わせて構成させることが可能である。この温度制御手段は、加熱媒体を収容したタンクの近傍など適宜の場所に位置させることができるが、温度の設定を入力する操作は、温熱装置の使用者の手元において行える構成とされることが望ましい。
【００１８】
従って、本考案によれば、遠赤外線放射体の温度を、使用者ごとに自分の好みの温度に設定することができる。そして、設定温度に自動的に保持されるため、使用者が電気ヒータのＯＮ・ＯＦＦ操作を行って温度調整を行う等の煩雑な手間を要さず、リラックスして使用できる温熱装置となる。また、岩盤浴場で岩盤が熱いと感じる場合のように、厚い敷物で温度調節を行う必要がないため、遠赤外線を吸収する恐れのある厚い敷物等が不要となり、遠赤外線放射体から放射された遠赤外線を有効に作用させることが可能となる。
【００１９】
また、本考案の温熱装置は、「前記保持体は、椅子型またはベッド型に形成される」ものとすることができる。
【００２０】
「椅子型」は、脚部付きの椅子や座椅子とすることができ、ヘッドレスト、レグレスト、フットレスト、肘掛け等の補助的部位や、リクライニング機能を備えるものとすることができる。そして、遠赤外線放射体を嵌め込む凹部は、背もたれ部、座部、レグレスト部等の各部分に設けることも、特定の部分にのみ設けることもできる。また、「ベッド型」は、脚部付きのベッドであっても、脚部のないマットレスタイプのベッドであってもよく、肘掛けや角度調整機能を備えたものとすることができる。
【００２１】
従って、本考案によれば、保持体を椅子と一体、或いはベッドと一体とすることにより、くつろいだ姿勢で使用できる温熱装置となる。また、特殊な形状ではないため、一般家庭で家具の一部として使用することができ、温熱装置として使用しないときには、通常の椅子やベッドの代替として使用することも可能となる。
【考案の効果】
【００２２】
以上のように、本考案によれば、身近な場所でいつでも手軽に、遠赤外線による温熱効果が期待される岩盤浴と同様に身体を暖めることができ、且つ、簡易な構成で比較的安価に製造できる温熱装置を提供することができる。
【考案を実施するための最良の形態】
【００２３】
以下、本考案を実施するための最良の一実施形態である温熱装置について、図１乃至図４に基づいて説明する。なお、本実施形態では、本考案の温熱装置を、保持体を椅子型として適用した場合について例示する。図１は本実施形態の温熱装置の全体斜視図であり、図２は図１の温熱装置の分解斜視図であり、図３は図１の温熱装置の構成を模式的に示す説明図であり、図４は図１の温熱装置の制御の一例を具体的に示す説明図である。
【００２４】
本実施形態の温熱装置１は、図１乃至図３に示すように、内部に流体を流通させる流通管３と、流通管３を保持可能な凹部３０が形成された保持体２０と、加熱により遠赤外線を放射する鉱物１３の粉末をマトリックス材に混合して形成された遠赤外線放射体１０（以下、単に「放射体１０」という）と、流通管３内を流通させられる熱媒体たるオイル２と、オイル２を収容するタンク５と、オイル２を加熱する電気ヒータ６と、加熱されたオイル２を流通管３内に循環させるポンプ７とを主に具備している。
【００２５】
更に詳細に説明すると、保持体２０は、適宜の緩衝材を表皮材で被覆した背もたれ部２１、座部２２、レグレスト部２３、ヘッドレスト部２７、床などの設置面に対して保持体２０を固定する脚部（図示しない）、及び肘掛け部２８を主に具備した椅子型に形成されている。そして、背もたれ部２１、座部２２、及びレグレスト部２３には、断面コ字状の函型の凹部３０が夫々設けられ、この凹部３０の深さは、流通管３の外径と後述の放射体１０の厚さとの和にほぼ等しいものに設定されている。なお、足裏を保持するフットレスト部を、レグレスト部２３の代わりに、或いはレグレスト部２３と共に備えることができ、その場合フットレスト部にも凹部３０を設けることができる。また、図１及び図２では、構成を明示するために、一方の肘掛け部２８（紙面手前方向）の図示を省略している。
【００２６】
流通管３は、内径１２ｍｍのスチール管を用い、一端がオイル２を収容したタンク５（図３参照）にゴム製のジョイント部（図示しない）を介して接続されている。更に、流通管３は、背もたれ部２１、座部２２、及びレグレスト部２３の夫々に設けられた凹部３０の底面を這うように湾曲して配された上で、他端がタンク５にゴム製のジョイント部を介して接続されている。なお、流通管３を複数の管で構成し、ジョイント部により適宜接続してもよい。また、湾曲自在な蛇腹管を流通管３として使用してもよい。
【００２７】
ここで、本実施形態では鉱物１３として、ホロストーン（登録商標）と呼ばれる凝灰岩を源岩とする接触変成岩の粒子径２００〜５００メッシュの粉末を使用し、マトリックス材としてのシリコーンゴム１２に対して１０〜４０％の割合で配合し放射体１０を形成している。放射体１０の成形は、例えば、液状タイプのシリコーンゴム１２と鉱物１３の粉末とを十分混合した後、所定形状の型内に射出し加熱硬化させることによって行うことができる。なお、本実施形態の放射体１０は、背もたれ部２１、座部２２、レグレスト部２３に設けられた凹部３０の夫々の底面とほぼ同一形状で、厚さ３〜１０ｍｍのシート状に形成され、流通管３が配された凹部３０の残余の空間に嵌挿可能なものとされている。また、放射体１０の表面には、全体的に小さな凹凸（図示しない）が形成されている。
【００２８】
なお、放射体１０は、成形時に着色剤を混入する等により、適宜着色することができる。例えば、温か味のある暖色系の色を付したり、岩盤を模した色模様を付して岩盤浴の雰囲気を醸し出したりすることができる。或いは、保持体２０の表皮材の色調と調和させることにより、身近な場所で他の家具と共に使用される、本実施形態の椅子型の温熱装置１の外観を向上させることができる。特に、本実施形態のマトリックス材は、自然色が淡色（乳白色）のシリコーンゴム１２であるため、容易に任意の色に着色することができる。
【００２９】
また、主に図３に示すように、熱媒体としてのオイル２はタンク５（容量１０リットル）に収容され、タンク５にはオイル２を加熱するための電気ヒータ６が配設されると共に、タンク５内のオイル２の温度を測定する温度センサ４９が取付けられている。更に、流通管３には、タンク５と保持体２０との間でポンプ７が取付けられている。また、タンク５、ポンプ７、モータ４７等の構成は、保持体２０を設置面に対して固定する脚部間で、座部２２の底面と設置面との間に形成される空間に収納されている。
【００３０】
更に、温熱装置１は制御部４０を備え、この制御部４０によってモータ４７によるポンプ７の駆動や、タイマー４２による電源の切断等の動作が制御される。また、制御部４０内の温度調整手段９により、電気ヒータ６へ供給される電流が制御され、オイル２の温度の制御が行われる。また、本実施形態では、使用者が手元で操作し、設定温度やタイマー４２の作動時間を制御部４０に入力可能な操作部５０を更に具備している。
【００３１】
制御部４０における制御の一例を図４に示す。本例によれば、電源スイッチ４５のＯＮ操作によって、表示灯４１が点灯すると共に、タイマー４２、温度調節手段９、モータ４７が作動を開始し、継電器のコイル部４３への通電により接点４３ｓが閉じる。ここで、電源スイッチ４５を自動復帰型とすれば、電源スイッチ４５は再び開状態となる。そして、温度センサ４９による測定温度が設定温度より低い場合は、温度調手段９の出力により接点９ｓが閉じて電気ヒータ６が通電状態となり、測定温度が設定温度より高い場合は、温度調節手段９の出力により接点９ｓが開いて電気ヒータ６が非通電状態となり、測定温度が設定温度に一致するよう保持される。また、設定された時間の経過をタイマー４２が検出すると、接点４２ｓが開き、継電器のコイル部４３が非通電状態となって接点４３ｓが開き、回路全体が開状態となる。これにより、表示灯４１は消灯し、温度調節手段９、モータ４７、電気ヒータ６への電流の供給が停止する。
【００３２】
次に、本実施形態の温熱装置１の使用方法について、図１乃至図３を使用して説明する。まず、温熱装置１の使用に先立ち、放射体１０を背もたれ部２１、座部２２、レグレスト部２３に夫々設けられた凹部３０に嵌め込むように設置する。ここで、温熱装置１で身体を暖めるには、加熱された温熱装置１からの遠赤外線の放射による放射伝熱及び伝導伝熱を有効に受けるため、放射体１０に身体の一部を当接させることが望ましいが、本実施形態では保持体２０が椅子型であるため、座部２２に腰をかけ、背もたれ部２１に背をもたれさせ、レグレスト部２３にふくらはぎ部を載置することにより、各部分の凹部３０に嵌挿された放射体１０に身体を当接させることができる。なお、放射体１０に肌を直接触れさせても良いし、タオルやシーツ等を温熱装置１に敷き、或いは使用者が浴衣やバスローブ等を着用することにより、放射体１０に肌を間接的に当接させても良い。
【００３３】
操作部５０の操作により、電源スイッチ４５を入れて制御部４０を稼動させると、外部電源入力端子５５から電力が供給され、上記に例示した制御により、タンク５内のオイル２が電気ヒータ６によって加熱され、モータ４７に駆動されたポンプ７によって加熱されたオイル２が流通管３に送られる。そして、加熱されたオイル２は、背もたれ部２１、座部２２、レグレスト部２３において、放射体１０の裏面に配された流通管３内を流通し、放射体１０に熱エネルギーを付与する。このとき、流通管３は、凹部３０において湾曲して配されているため、放射体１０が面的に加熱される。そして、熱エネルギーを失って温度が低下したオイル２は、タンク５に戻り再び電気ヒータ６によって加熱され、上記に例示した温度制御により、設定温度までに昇温される。そして、設定温度となったオイル２の循環によって放射体１０の加熱が継続して行われる。これにより、椅子型の保持体２０に腰をかけている使用者の身体は、加熱された放射体１０から放射される遠赤外線による放射伝熱及び伝導伝熱により暖められる。ここで、設定温度は、例えば、体温に近い３５〜４５℃に設定することができるが、温度が高過ぎる、或いは低過ぎると使用者が感じた場合は、操作部５０を操作して設定温度を変更して入力すれば、温度制御手段９の制御によりオイル２を加熱する電気ヒータ６への電流の供給が調整される。
【００３４】
タイマー４２の作動時間は、デフォルト値を設けておくことにより、使用者が特に時間を設定しなくても、所定時間の経過により自動的に電源が切断される。また、操作部５０からの入力により、使用者がタイマー４２の作動時間を設定することもできる。
【００３５】
なお、本実施形態の温熱装置１は、シート状のアルミニウムの上掛け（図示しない）を備えており、使用者はこの上掛けを身体から保持体２０の上部を覆うように掛けることができる。これは、表面に光沢を有する金属の遠赤外線の反射率が高いことを利用したものであり、使用者の身体に当接しない部分の放射体１０から放射された遠赤外線を使用者側に反射させ、遠赤外線による温熱効果をより有効に奏させることができる。
【００３６】
以上のように、本実施形態の温熱装置１によれば、加熱されたオイル２の流通管３内の流通により、放射体１０が加熱され、遠赤外線の放射による放射伝熱及び伝導伝熱により使用者の身体が暖められる。これにより、血行の促進、新陳代謝機能や自然治癒力の向上が期待される。そして、自宅などの身近な場所で、いつでも手軽に、遠赤外線による温熱効果が期待される岩盤浴と同様に身体を暖めることができる。加えて、遠赤外線の波長領域での放射率の高い鉱物１３を放射体１０に含有させたことにより、遠赤外線による温熱効果をより有効に発揮することが可能となる。更に、粉末状の鉱物１３は、放射体１０中に均一に分散させることができ、放射体１０の全面にわたり均一な温熱効果を発揮可能なものとなる。また、マトリックス材として使用したシリコーンゴム１２に、粉体補強材として含有されるシリカによる遠赤外線の放射作用も期待される。
【００３７】
また、放射体１０の表面に形成された小さな凹凸により、放射体１０の表面積が増大し遠赤外線の放射量が増すと共に、放射体１０のクッション性が向上し、且つ、滑り止め効果を奏するものとなる。更に、放射体１０は保持体２０に対して着脱自在であることから、汗や汚れが付着した場合に、凹部３０から取外して洗い流すことができ、清潔に保つことが可能となる。
【００３８】
加えて、温度制御手段９を備えることにより、使用者の好みや体調、天候等に応じて温度の設定を適宜調整することができる。また、タイマー４２を備えることにより、電源の切り忘れによる無駄な電力の消費や、温熱装置１の使用により心地よくなった使用者が眠ってしまっても、長時間過剰に加熱される恐れのないものとなり、安心して使用することができる。そして、温熱装置１の通電状態は、表示灯４１の点灯の有無によって容易に識別することができる。
【００３９】
更に、熱媒体がオイル２であることにより、漏電の恐れがなく、スチール製の流通管３内に錆びが生じ難く、オイル２自体も劣化し難いことから、メンテナンスが容易で維持費の低廉な温熱装置１となる。また、運搬が困難で高価な岩盤を使用せず粉末状の鉱物１３を使用し、装置全体として簡易な構成であるため、一般に広く普及可能な比較的安価な温熱装置１となる。また、保持体２０が椅子型に形成されることにより、くつろいだ姿勢で使用できると共に、家具の一部として通常の椅子と代替的に使用することも可能となる。
【００４０】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００４１】
例えば、本実施形態では、保持体が椅子型に形成された場合を例示したが、これに限定されず、例えば、ベッド型、足置き型、座布団型等に形成することによっても、身近な場所で日常的に使用可能な温熱装置となる。また、椅子型やベッド型の場合、各部の角度を調節可能として、使用者が多様な姿勢を取ることができる構成とすることができる。また、マッサージ機能が付加された温熱装置とすることもできる。
【００４２】
また、本実施形態ではマトリックス材にシリコーンゴムを使用した場合を例示したが、これに限定されず、各部分ごとにマトリックス材の種類や配合比を変え、質感や柔らかさを異ならせることもできる。例えば、座部や背もたれ部では弾性を有するゴムをマトリックス材としてクッション性を高めると共に、フットレスト部では弾性に乏しい樹脂をマトリックス材として、硬質な感触で足裏を支持する構成とすることもできる。
【００４３】
更に、制御部における制御は、上記に例示したものに限定されない。例えば、本実施形態では、測定温度と設定温度とを対比し、電気ヒータへの電流をＯＮ・ＯＦＦさせる構成を例示したが、電気ヒータに供給する電流を連続的に増減させる構成とすることもできる。また、本実施形態では、循環するオイルの温度を一箇所で制御する構成を例示したが、これに限定されず、例えば、背もたれ部、座部、レグレスト部の夫々で、別個に放射体の温度を制御可能な構成とすることもできる。
【図面の簡単な説明】
【００４４】
【図１】本実施形態の温熱装置の全体斜視図である。
【図２】図１の温熱装置の分解斜視図である。
【図３】図１の温熱装置の構成を模式的に示す説明図である。
【図４】図１の温熱装置の制御の一例を具体的に示す説明図である。
【符号の説明】
【００４５】
１  温熱装置
２  オイル（熱媒体）
３  流通管
５  タンク
６  電気ヒータ
７  ポンプ
９  温度制御手段
１０  放射体（遠赤外線放射体）
１２  シリコーンゴム（マトリックス材）
１３  鉱物
２０  保持体
３０  凹部
【図１】
0003118765.tif 000003
【図２】
0003118765.tif 000004
【図３】
0003118765.tif 000005
【図４】
0003118765.tif 000006